【手続補正書】
【提出日】平成17年3月31日(2005.3.31)
【手続補正１】
【補正対象書類名】特許請求の範囲
【補正対象項目名】全文
【補正方法】変更
【補正の内容】
【特許請求の範囲】
【請求項１】
歯科診療台の近傍に配置された歯科医用椅子と、患者の口腔内の動画映像を撮影することができ、患者の口の近傍で固定することができ、またカメラのレンズの表面に親水性の材質でできたカバーが設けられている口腔内カメラと、該歯科医用椅子に座った歯科医、歯科診療台上で仰向けになった患者、及び診療補助をする歯科助手の３者から見える位置に設置され、前記口腔内カメラの映像が映し出され、この映像を該歯科医がフットスイッチを操作して上下反転と左右反転の画面転換させることができる第１モニターと、歯科医がフットスイッチを操作して口腔内カメラの映像を記録することができる録画装置とからなることを特徴とする歯科診療装置
【請求項２】
歯科診療台の上で仰向けになった患者が見やすい位置に設置され、かつ第１モニターの画面が映るように角度調整がされている患者用鏡と、歯科助手が診療補助をしながら見やすい位置に設置され、かつ第１モニターの画面が映るように角度調整がされている歯科助手用鏡とを具備することを特徴とする請求項１記載の歯科診療装置
【請求項３】
歯科診療台の上で仰向けになった患者から見やすい位置に設置され、かつ口腔内カメラの映像が映し出される第２モニターと、歯科助手が診療補助をしながら見やすい位置に設置され、かつ口腔内カメラの映像が映し出される第３モニターとを具備することを特徴とする請求項１記載の歯科診療装置
【請求項４】
口腔内カメラが２つのレンズによって２つの方向から同一の部位を撮影でき、かつ患者の口の近傍に固定することができ、また該２つのレンズの表面には親水性の材質でできたカバーがつけられていることを特徴とする請求項１から３の何れか１項に記載の歯科診療装置
【請求項５】
歯科助手が患者の口腔内をいつでも見られるようにするため手に持って撮影でき、かつその動画映像を第３モニターに映し出すことができ、しかもバキュームまたはスリーウェイシリンジと一体にすることが可能な歯科助手用カメラを備えていることを特徴とする請求項１から４の何れか１項に記載の歯科診療装置
【請求項６】
口腔内カメラと一体または別体に構成されているカメラ保持具を備えていることを特徴とする請求項１から４の何れか１項に記載の歯科診療装置
【請求項７】
患者の口腔内の任意の位置にバキュームチップを固定しておくことのできるフレキシブル管延長ホースを備えていることを特徴とする請求項１から４の何れか１項に記載の歯科診療装置
【請求項８】
口を開けて治療を受けている患者が歯科医や歯科助手に自分の意思を伝えるために、手に持っている発信機を操作することで第１モニターから第３モニターまたは二分割モニターの少なくとも１つの画面上に、文字や記号などが表示できる表示手段を備えていることを特徴とする請求項１から４の何れか１項に記載の歯科診療装置
【請求項９】
患者の身体の状態を感知して、それを第１モニターから第３モニターおよび二分割モニターのうちの少なくとも１つのモニターに表示することを特徴とする請求項１から４の何れか１項に記載の歯科診療装置
【請求項１０】
口腔内カメラが並列に２つのレンズを備え、２つのレンズが異なる方向から同じ被写体を同時に撮影できるものであって、それから得られる二つの映像を用いて立体視をすることができる二分割モニターを第１モニターの代わりに備えることを特徴とする請求項１から３の何れか１項に記載の歯科診療装置
【請求項１１】
口腔内カメラがそのヘッド部分をカメラ本体に対して、折り曲げて角度を変える手段を備えていることを特徴とする請求項１から４の何れか１項に記載の歯科診療装置
【請求項１２】
口腔内カメラが歯科用切削器具であるタービンやマイクロモーターのハンドピース、または医療用器具である超音波スケーラー、電気メス、レーザーなどのハンドピースの少なくとも何れかに着脱自在に装着されていることを特徴とする請求項１から４の何れか１項に記載の歯科診療装置
【請求項１３】
口腔内カメラがそのヘッド部分に舌圧排子を着脱自在に装着されていることを特徴とする請求項１から４の何れか１項に記載の歯科診療装置
【手続補正２】
【補正対象書類名】明細書
【補正対象項目名】０００７
【補正方法】変更
【補正の内容】
【０００７】
従来の肉眼で見ながら行う治療では下顎臼歯舌側歯面を治療する場合、歯面を覆う舌を歯科医が片手で保持した歯鏡などを使って排除し、そこにできた空間で歯科医がもう一方の手を使って治療器具を動かして治療していた。ただし、肉眼ではとても見にくい部位であるため難易度の高い治療となっていた。口腔内カメラを使って撮影しながら治療しようとしても、歯科医の２本の手がすでに使われているため歯面の状況を見て確認するだけで治療することまではできなかった。
【手続補正３】
【補正対象書類名】明細書
【補正対象項目名】００１１
【補正方法】変更
【補正の内容】
【００１１】
次に図１および図１４のように患者を歯科診療台に仰向けに寝かせ、歯科医が患者の頭頂部方向に設置された歯科医用椅子に座る。そして患者の上顎臼歯咬合面を撮影する場合、歯鏡４８の代わりに、口腔内カメラ１２をヘッド部分３７が下方へ向くように患者１５の口腔内に入れ、レンズを上顎に向けて患者の上顎臼歯咬合面を撮影する。その映像はモニターに映すと実物に比べて上下、左右が反転して映ることになる。前記のように歯科医は上顎臼歯咬合面を歯鏡４８に映すと左右反転されて映ることになるが、この左右反転像を見ながら、診療器具５０を思った方向に間違えずに動かせる。したがってこの原理から口腔内カメラ１２の映像の上下のみ反転すれば、その映像を見ながら診療器具５０を思った方向に間違えずに動かせることになる。
【手続補正４】
【補正対象書類名】明細書
【補正対象項目名】００４５
【補正方法】変更
【補正の内容】
【００４５】
口腔内カメラは従来、歯科医が片手で保持しながら、撮影していた。カメラ保持具によって歯科医は両手が解放され、両手を使って治療することが可能となる。
【手続補正５】
【補正対象書類名】明細書
【補正対象項目名】００７３
【補正方法】変更
【補正の内容】
【００７３】
請求項１の発明を実施例にもとづき図面を参照して説明する。図１において歯科診療台１は背板が床面に対してほぼ平行になるように設置する。患者１５は歯科診療台１の上で仰向けになっている。歯科医１４は歯科診療台１のヘッドレスト５の近傍に配置された歯科医用椅子４に腰掛ける。歯科医１４は口腔内カメラ１２を片手で保持するか、またはカメラ保持具１３に取り付ける。そして口腔内カメラ１２で治療しようとする部位を撮影する。また、口腔内カメラ１２のレンズの表面に親水性の材質のカバーをつけることで、水がかかっても映像が見えるようになる。口腔内カメラ１２で撮影された映像は照明用支柱２に設置された第１モニター６に映し出される。歯科医１４は第１モニター６を見ながら治療を進めることができる。患者１５は仰向けで治療を受けながら第１モニター６を見ることができる。歯科助手１６は歯科診療台１のヘッドレスト５の左側で診療補助をする。その際、歯科助手１６は第１モニター６を見ることができる。なお、口腔内カメラの映像は歯科医がフットスイッチ５１を操作することで、少なくとも上下反転と左右反転の画面転換と映像の録画をすることができる。
【手続補正６】
【補正対象書類名】明細書
【補正対象項目名】００７６
【補正方法】変更
【補正の内容】
【００７６】
請求項４の発明の実施の形態を実施例にもとづき図面を参照して説明する。
図４において歯科診療台１は背板が床面に対してほぼ平行になるように設置する。患者は歯科診療台１の上で仰向けになっている。歯科医１４は歯科診療台１のヘッドレスト５の近傍に配置された歯科医用椅子４に腰掛ける。歯科医１４は口腔内カメラ１２のレンズを口腔内の治療しようとする部位に向ける。口腔内カメラ１２をカメラ保持具１３に固定して使う場合、カメラ保持具１３のロック機構２６を働かせ、歯科医１４が口腔内カメラ１２から手を離しても口腔内カメラ１２が動かないようにする。これで歯科医１４は両手を使って治療することができるようになる。口腔内カメラのレンズの表面には親水性の材質でできたカバーをつける。これによってレンズに水がかかっても映像を見ることができる。口腔内カメラ１２で撮影された映像は照明用支柱２に設置された二分割モニター９に映し出される。なお、この口腔内カメラ１２は第１レンズ３９と第２レンズ４０の２つのレンズを備え、２方向から同時に同じ部位を撮影できる。二分割モニター９は画面が左右に２分割できるようになっており、口腔内カメラ１２の２つの映像をそれぞれ左または右の画面に映し出すことができる。歯科医１４は、左目で左画面を見、右目で右画面を見る。このようにして歯科医１４は二分割モニター９を見ながら治療を進めることができる。口腔内カメラの映像は歯科医がフットスイッチ５１を操作することで、少なくとも上下反転と左右反転の画面転換と映像の録画をすることができる。歯科医は映像を見ながら治療ができるように適宜、上下、左右の画面転換をさせる。次に患者１５について説明する。患者１５は歯科診療台１に上で仰向けになって治療を受ける。そしてほぼ真上を見るとそこに第２モニター７が設置されている。第２モニター７には口腔内カメラ１２の映像が映し出される。次に歯科助手１６について説明する。歯科助手１６は歯科診療台１のヘッドレスト５の左側で診療補助をしている。歯科助手１６は歯科診療台１の右側に設置された第３モニター８をいつでも見ることができる。第３モニター８には口腔内カメラ１２の映像が映し出される。
【手続補正７】
【補正対象書類名】明細書
【補正対象項目名】００７８
【補正方法】変更
【補正の内容】
【００７８】
請求項６のカメラ保持具１３についての実施の形態を実施例にもとづき図面を参照して説明する。図６のように床置き円盤２０の中央に支柱２１を立て、支柱２１の軸線方向に摺動自在に装着された第１リンク２２と第１リンク２２に摺動自在かつ回動自在に装着された第２リンク２３とを備えたカメラ保持具１３。第２リンク２３は上方で水平方向に曲がっている。第２リンク２３の水平部分に摺動自在に第１アーム２４が装着されている。第１アーム２４の他端にはロック機構２６を介して口腔内カメラ１２が装着される。なお、図６は床置きタイプのカメラ保持具の一例であり、カメラ保持具１３は適宜の部分から立ち上げることができる。
【手続補正８】
【補正対象書類名】明細書
【補正対象項目名】００７９
【補正方法】変更
【補正の内容】
【００７９】
請求項６のカメラ保持具１３のロック機構２６について図面を参照して説明する。図７はロック機構２６を示す概略図である。第１アーム２４と第２アーム２５の一端にある球状体からなる係合部材２７が上下二つの押圧板２８の凹部に挟まれた位置で揺動自在に支持されている。押圧板２８の中央部に上下の押圧板２８を貫通して調整ボルト２９が螺着されている。調整ボルト２９を回して調整ボルト２９を締め付けると上下の押圧板２８が係合部材２７に押し当てられ、第１アーム２４と第２アーム２５の揺動を拘束して口腔内カメラ１２の位置を固定できるようになっている。第２アーム２５の他端にはカメラ取り
付け座３０を介して口腔内カメラ１２を取り付ける。また、押圧板２８は強磁性体でつくり係合部材２７に磁石を用い、ボールジョイント磁石を構成し、電磁ロックと共用することも考えられる。
【手続補正９】
【補正対象書類名】明細書
【補正対象項目名】００８１
【補正方法】変更
【補正の内容】
【００８１】
請求項８の患者の意思の伝達ができる歯科診療装置について、実施の形態を実施例に基づき図面を参照して説明する。歯科治療を受けている最中の患者が歯科医に自分の意思を伝えるための歯科診療装置である。図１のように患者は歯科診療台の上で仰向けになって口を開けている。口腔内では治療が行われているため、話をすることはできない。そこで患者の手に発信機５２を持たせておき、必要な時に発信機５２を操作することで、第１モニターから第３モニターまたは二分割モニターのうち任意のモニターの画面上に文字や記号を表示させる。このように患者はモニターを介して自分の意思を歯科医や歯科助手などに伝えることができる。
【手続補正１０】
【補正対象書類名】明細書
【補正対象項目名】００８３
【補正方法】変更
【補正の内容】
【００８３】
請求項１０の立体視のできる口腔内カメラについて、実施の形態を実施例にもとづき図面を参照して説明する。図１０のように口腔内カメラ１２のヘッド部分３７に第１レンズ３９と第２レンズ４０の２つのレンズが並列に配列されている。この２つのレンズは同一の被写体を少し違う方向から撮影できるように角度調整がされている。２つの映像を左右２分割に画面表示できる二分割モニターに映すことで、立体視をすることが可能となる。
【手続補正１１】
【補正対象書類名】明細書
【補正対象項目名】００８４
【補正方法】変更
【補正の内容】
【００８４】
請求項１１のヘッド部分３７を折り曲げられる口腔内カメラ１２の実施の形態を実施例に基づき図面を参照して説明する。図１０のように口腔内カメラ本体３６とヘッド部分３７はヒンジ３８でつながれていて、ヒンジ３８を中心にしてヘッド部分３７を回動させることができる。そしてヘッド部分３７を任意の角度に折り曲げた状態で撮影することができる。
【手続補正１２】
【補正対象書類名】明細書
【補正対象項目名】００８６
【補正方法】変更
【補正の内容】
【００８６】
請求項１３の舌圧排子のついた口腔内カメラ１２の実施の形態について図面を用いて解説する。図１７のように下顎臼歯舌側歯面は通常、舌の側面が接している。そのため下顎臼歯舌側歯面をそのままの状態では撮影も治療もできない。そこで口腔内カメラのヘッド部分３７に舌圧排子を着脱自在に取り付け、それを舌に押し付けて舌を歯面から遠ざけることで下顎臼歯舌側を撮影し、その部分にできた空間で診療器具を動かして治療できるようにする。なお、この舌圧排子は撮影部位によって数種類の形が必要となる。
【手続補正１３】
【補正対象書類名】明細書
【補正対象項目名】００８７
【補正方法】変更
【補正の内容】
【００８７】
【図１】請求項１の発明の実施例を示す概略図である。
【図２】請求項２の発明の実施例を示す概略図である。
【図３】請求項３の発明の実施例を示す概略図である。
【図４】請求項４の発明の実施例を示す概略図である。
【図５】請求項５の発明の実施例を示すものであって、その発明の歯科助手用カメラの配置を示す概略図である。
【図６】請求項６の発明の実施例を示すものであって、その発明のカメラ保持具を示す概略図である。
【図７】請求項６の発明の実施例を示すものであって、その発明のカメラ保持具のロック機構を示す概略図である。
【図８】請求項７の発明の実施例を示すものであって、その発明のフレキシブル管延長ホースの配置を歯科診療台の裏から見た概略図である。
【図９】請求項７の発明の実施例を示すものであって、その発明のフレキシブル管延長ホースの配置を示す概略図である。
【図１０】請求項１０と請求項１１の発明の実施例を示すものであって、その発明の口腔内カメラの形状を示す概略図である。
【図１１】請求項１２の発明の実施例を示すものであって、本発明のハンドピースに着脱できる口腔内カメラの形状を示す概略図である。
【図１２】従来の歯科医の診療姿勢を示す概略図である。
【図１３】患者の上顎咬合面および上顎咬合面にマークしたＦの字を患者の足方向から見た仮想図である。
【図１４】患者の上顎咬合面にマークしたＦの字を歯科医が歯鏡に映して見ているところを示す概略図である。
【図１５】図１４の歯鏡の部分のみを拡大したところを示す概略図である。
【図１６】歯科医の目線から見た患者とモニターの画面上の口腔内を示す概略図である。
【図１７】舌を排除しながら下顎臼歯舌側歯面を撮影、治療する場面を示す概略図である。
【手続補正１４】
【補正対象書類名】明細書
【補正対象項目名】００８８
【補正方法】変更
【補正の内容】
【００８８】
１  歯科診療台
２  照明用支柱
３  モニター取り付け部
４  歯科医用椅子
５  ヘッドレスト
６  第１モニター
７  第２モニター
８  第３モニター
９  二分割モニター
１０  二分割モニター左画面
１１  二分割モニター右画面
１２  口腔内カメラ
１３  カメラ保持具
１４  歯科医
１５  患者
１６  歯科助手
１７  患者用鏡
１８  歯科助手用鏡
１９  歯科助手用カメラ
２０  床置き円盤
２１  支柱
２２  第１リンク
２３  第２リンク
２４  第１アーム
２５  第２アーム
２６  ロック機構
２７  係合部材
２８  押圧板
２９  調整ボルト
３０  カメラ取り付け座
３１  バキュームホース
３２  バキュームホース固定台座
３３  フレキシブル管延長ホース接続部
３４  フレキシブル管延長ホース
３５  バキュームチップ
３６  口腔内カメラ本体
３７  ヘッド部分
３８  ヒンジ
３９  第１レンズ
４０  第２レンズ
４１  照明
４２  タービンのハンドピース
４３  切削用のバー
４４  着脱式口腔内カメラ
４５  レンズ
４６  歯科医の右手
４７  歯科医の左手
４８  歯鏡
４９  歯鏡のホルダー
５０  診療器具
５１  フットスイッチ
５２  発信機
５３  舌圧排子
５４  スリーウェイシリンジ
【手続補正１５】
【補正対象書類名】図面
【補正対象項目名】図６
【補正方法】変更
【補正の内容】
【図６】
2005103048.tif 000001
【手続補正１６】
【補正対象書類名】図面
【補正対象項目名】図８
【補正方法】変更
【補正の内容】
【図８】
2005103048.tif 000002
【手続補正１７】
【補正対象書類名】図面
【補正対象項目名】図９
【補正方法】変更
【補正の内容】
【図９】
2005103048.tif 000003
【手続補正１８】
【補正対象書類名】図面
【補正対象項目名】図１７
【補正方法】変更
【補正の内容】
【図１７】
2005103048.tif 000004